(57)【要約】【解決手段】ＳＤメモリカードがＳＤメモリカードソケットから間違って取り出されるのを防ぐためのＳＤメモリカードソケットを開示する。ＳＤメモリカードソケットは、長手方向に延在するガイドスロットを形成するように、コネクタハウジングの縁に形成され、ＳＤメモリカードの側面に対向するガイド部を含む。スライダは、ＳＤメモリカードを挿入及び離脱するときに、ガイドスロットに沿って長手方向に前後に移動する。スライダは、前端に形成された固定穴と後端に形成された隠し穴を有し、該隠し穴は下方に開いている。ロックバーの第１の端部は固定穴を中心として回転することができるように固定穴に挿入され、ロックバーの第２の端部は隠し穴に挿入され、固定穴を中心として回転されたときに第２の端部が隠し穴から突出する。ガイド部の内側面には、スライダがホームポジションに移動したときにロックバーの第２の端部を強制的に隠し穴に挿入するようにロックバーの水平部分を案内するロック解除ガイド突起が形成されている。
2005514735.tif 000002
【特許請求の範囲】
【請求項１】
側面にフック穴が形成されたＳＤメモリカードを収容するＳＤメモリカードソケットであって、
コネクタハウジングであって、
ＳＤメモリカードを収容するカード収容部と、
複数のピン穴とを有するコネクタハウジングと、
ＳＤメモリカードの複数の接続端子への電気接続のために、複数のピン穴に挿入された複数の接続端子と、
コネクタハウジングの縁に形成されて、ハウジングの長手方向に、ガイドスロットを間に形成するガイド部と、
ガイドスロットに沿って第１と第２の位置の間で摺動可能であり、一方の端に固定穴が形成されかつ他方の端に隠し穴が形成されたスライダと、
第１と第２の端部を有するロックバーであって、第１の端部は、ロックバーが固定穴を中心として回転することができるように固定穴に挿入され、ロックバーの第２の端部は隠し穴に挿入され、ロックバーが固定穴を中心として回転されたときに第２の端部が隠し穴から突出するロックバーと、
ハウジング上に形成され、ＳＤメモリカードをカードソケットに挿入する際にロックバーの第２の端部を隠し穴に沿ってＳＤメモリカードのフック穴に挿入する方向に案内するロックガイド突起と、
ハウジング上に形成され、スライダがその第１の位置に移動したときにロックバーの第２の端部を隠し穴に強制的に移動するロック解除ガイド突起とを有するＳＤメモリカードソケット。
【請求項２】
前記ロックガイド突起には、コネクタハウジングの前端から後端に向かって延在する傾斜側面が形成されている、請求項１に記載のＳＤメモリカードソケット。
【請求項３】
前記ロック解除ガイド突起には、ハウジングの後端からハウジングの前端に向かって延在する傾斜側面が形成されている、請求項２に記載のＳＤメモリカードソケット。
【請求項４】
前記ガイドスロットの支持面からスライダの下面を離すために、該スライダの下面から下方に突出するスライド部を更に有する、請求項１に記載のＳＤメモリカードソケット。
【請求項５】
前記ロックガイド突起とロック解除ガイド突起の位置が、スライダの下面とガイドスロットの支持面の間隔を基準として決定される、請求項４に記載のＳＤメモリカードソケット。
【請求項６】
前記コネクタハウジングの上部を覆うカバーと、該カバーの側部に形成され、プリント回路基板の対応する接点にはんだ付けする取り付け爪とを更に有する、請求項５に記載のＳＤメモリカードソケット。
【請求項７】
前記ロックバーが、固定穴と隠し穴の間に延在する水平部分を備え、ロックバーの第１と第２の端部が水平部分から上方に曲げられている、請求項１に記載のＳＤメモリカードソケット。
【発明の詳細な説明】
【技術分野】
【０００１】
本発明は、セキュアデジタルメモリカードを収容するカードソケットに関する。
【背景技術】
【０００２】
デジタルカメラ、デジタルカムコーダ、ＭＰ３プレーヤ、ハンドヘルドＰＣ、ＰＤＡなどの携帯型デジタル装置が広く使用されており、そのため、取り外し可能記憶装置の需要が高まっている。取り外し可能記憶装置の１つのタイプは、フラッシュメモリ記憶装置である。
【発明の開示】
【発明が解決しようとする課題】
【０００３】
電子装置の新しい技術の出現と急速な多様化によって、コンピュータ及び電子装置に使用される取り外し可能記憶装置の市場が発展した。携帯型デジタル装置は高品質の大規模メモリを必要とするので、低価格で大規模な取り外し可能記憶装置の需要が爆発的に増大している。一方、電子商品の多様化は様々な種類の技術的問題をもたらした。殆どの携帯型装置に使用されるフラッシュメモリは、データの再記録と記憶に関して利点を有するが、比較的高価である。また、フラッシュメモリ装置を生産するために使用される製造プロセスにおける問題のために、そのような装置が近い将来安価になることは期待できない。
【０００４】
フラッシュメモリ型の取り外し可能記憶装置には、コンパクトフラッシュ（Ｒ）カード、スマートメディアカード、マルチメディアカード、セキュアデジタルメモリカード（又は、「ＳＤ」メモリカード）、及び、メモリスティック（Ｒ）が含まれる。しかしながら、これらはまったく互換性がない。このような取り外し可能記憶装置の中でも、マルチメディアカード、ＳＤメモリカード、及び、メモリスティック（Ｒ）はすべて、著作権保護機能を有する。しかしながら、ＳＤメモリカードには、データ伝送効率などの点で他のタイプの記憶装置と比較して幾つかの利点があることが分ってきた。ＳＤメモリカードは、メモリカードソケットを介してデジタル装置に電気的に接続される。ＳＤメモリカードを収容する従来のソケットは、メモリカード内の電気接続端子とソケット内の嵌（かん）合端子間の弾性接触力だけでＳＤメモリカードをソケットポート内に保持するので、大量の振動と衝撃を伴う状態ではＳＤメモリカードがソケットから外れることがある。
【０００５】
この外れを防ぐために、カードが外れるのを防ぐカバーの使用が推奨されてきた。しかしながら、従来のカードだけでなくモジュール型カードが使用されることがある。モジュール型カードの場合、そのサイズと重量のために、ソケットからカードが外れるのを防止するのは容易ではない。
【０００６】
また、ＳＤメモリカード用の従来のソケットは、プリント回路基板にＳＤメモリカードを固定するためにソケットハウジングの両側に別々の取り付け爪（つめ）を有するため、ソケットの製造プロセスにさらに組み立て作業が追加されるので、コストが増大し生産性が低下する。
【課題を解決するための手段】
【０００７】
したがって、本発明の目的は、ＳＤメモリカードがＳＤメモリカードソケットから間違って取り出されるのを防ぐことができる、ＳＤメモリカードを収容するためのＳＤメモリカードソケットを提供することである。本発明によるＳＤメモリカードソケットは、ロックバーを備えたプッシュプッシュ機構を含み、ＳＤメモリカードがＳＤメモリカードソケットに完全に挿入されると、ＳＤメモリカードの側面に形成されたフックスロットにロックバーが挿入される。
【０００８】
本発明の別の目的は、ソケットカバーの両側に形成された取り付け爪を備えたＳＤメモリカードソケットを提供することである。取り付け爪は、プリント回路基板の対応する接点にはんだ付けされる。これにより、ＳＤメモリカードソケットの移動が防止され、接続端子のひずみ又は切断を最小限に抑えることができる。
【０００９】
本発明の別の目的は、製造工程の簡略化によって製造効率の改善と製造コストの削減を可能にする設計を有するＳＤメモリカードソケットを提供することである。
【００１０】
以上の目的を達成するために、本発明は、携帯型デジタル装置に使用されるＳＤメモリカードを収容するＳＤメモリカードソケットを提供し、このカードは、側部に形成されたフック穴を有する。ＳＤメモリカードソケットは、ＳＤメモリカードを収容するカード収容部と、平行に配列された複数のピン穴とを有するコネクタハウジングを含む。複数の接続端子が、ＳＤメモリカードの複数の接続端子に電気的に接続されるように、複数のピン穴に挿入されている。コネクタハウジングの上部にカバーが配設されている。コネクタハウジングの縁にガイド部が形成されており、これらの間にハウジングの長手方向に延在するガイドスロットが形成される。スライダは、ＳＤメモリカードを挿入及び離脱する際に、ガイドスロット内で第１の位置と第２の位置の間で前後に摺（しゅう）動する。スライダの前端に固定穴が形成され、スライダの後端に隠し穴が形成される。固定穴と隠し穴との間に延在する水平部分を有するロックバーが提供され、該ロックバーの第１と第２の端部が、水平部分から上方に曲げられている。ロックバーの第１の端部は、ロックバーが所定の範囲内で回転することができるように固定穴に挿入され、ロックバーの第２の端部は、ロックバーが第１の端部を中心として回転するときに第２の端部が隠し穴から突出することができるように隠し穴に挿入される。ロックガイド突起が、ガイド部の中央部分に形成されており、ＳＤメモリカードを挿入する際にロックバーの第２の端部をスライダの隠し穴からＳＤメモリカードのフック穴内に導くように位置決めされている。ガイド部の内側面には、スライダが第１の位置に移動したときにロックバーの第２の端部を強制的に隠し穴に挿入するようにロックバーの水平部分を案内するロック解除ガイド突起が形成されている。
【００１１】
ロックガイド突起には、前端から後端まで延在しフック穴が形成されたＳＤメモリカードの側面と対向する傾斜側面が形成されてもよい。
【００１２】
ロック解除ガイド突起には、後端から前端まで延在しスライダの側面と対向する傾斜側面が形成されてもよい。
【００１３】
また、ＳＤメモリカードソケットは、更に、ガイドスロットの表面からスライダの下面を離間するために、隠し穴の後ろの第１の位置と固定穴の前の第２の位置でスライダの下面から下向きに突出するスライド部を含んでいてもよい。
【００１４】
スライダの下面に対するロックガイド突起とロック解除ガイド突起の高さは、スライダの下面からガイドスロットの表面までの高さを基準にして決定することができる。
【００１５】
また、ＳＤメモリカードソケットは、更に、カバーの両側に形成されており、ＳＤメモリカードソケットがプリント回路基板に取り付けられたときにプリント回路基板上の対応する接点にはんだ付けされる取り付け爪を含んでいてもよい。
【００１６】
本発明の上記及びその他の目的、特徴及び利点は、添付図面と関連して行われる以下の詳細な説明からより明らかになるであろう。
【発明を実施するための最良の形態】
【００１７】
以下に、本発明の実施形態を添付図面を参照して説明する。以下の説明及び図面において、同じ参照数字が同一か又は類似の構成要素を示すために使用される。したがって、同一か又は類似の構成要素の説明は繰り返さない。
【００１８】
図１〜４に示したように、本発明のＳＤメモリカードソケット１００は、ＳＤメモリカード２００を収容するカード収容部１１２が形成されたコネクタハウジング１１０と、該コネクタハウジング１１０の後端から前端まで平行に延在する複数の接続端子１２０と、コネクタハウジング１１０の上部を覆うカバー１３０とを含む。ガイド部１４０、１４０ａ、及び１４０ｂが、コネクタハウジング１１０の縁の上部にガイドスロット１４２を構成する。スライダ１５０は、前端に形成された固定穴１５２と、後端に形成された隠し穴１５４とを有する。該隠し穴１５４は、ガイドスロット１４２に沿った前後の移動のために下向きに開いている。第１と第２の端が上方に曲げられたロックバー１６０を含み、該ロックバー１６０の第１の端部は、ロックバー１６０が所定の範囲内で回転することができるように固定穴１５２に挿入され、ロックバー１６０の第２の端部は、ロックバーの第１の端部を中心として回転されたときに第２の端部が隠し穴１５４から突出できるように隠し穴１５４に挿入されている。ロックガイド突起１７０は、ＳＤメモリカード２００がソケット１００に挿入されたとき、ロックバー１６０の第２の端部をＳＤメモリカード２００のフック穴２０２に挿入するように案内する。ロック解除ガイド突起１８０は、スライダ１５０が第１位置、すなわち、原位置に移動したときにロックバー１６０の第２の端部を隠し穴１５４に強制的に挿入するようにロックバー１６０の水平部分を案内する。
【００１９】
ＳＤメモリカードソケット１００を操作する際、ＳＤメモリカード２００が、カード収容部１１２に収容されると、スライダ１５０が、カードの挿入方向に摺動し、同時にＳＤメモリカード２００を挿入方向と逆方向に押す。これにより、カードを挿入する際に、ロックバー１６０の第２の端部が、ロックガイド突起１７０によって、隠し穴１５４からＳＤメモリカード２００のフック穴２０２内に案内される。したがって、ロックバー１６０の第２の端部がＳＤメモリカード２００のフック穴２０２に挿入されることによって、ＳＤメモリカード２００が、ＳＤメモリカードソケット１００のカード収容部１１２内に固定される。ロックバー１６０の第２の端部がフック穴２０２内にあるので、ＳＤメモリカード２００は、ＳＤメモリカードソケット１００から放出されない。
【００２０】
ＳＤメモリカード２００がカード収容部１１２に収容されるとき、スライダ１５０が、カード挿入方向に移動し、挿入された位置にロックされる。この状況で、カード挿入方向にＳＤメモリカード２００に更に押す力が加えられると、ロックバー１６０の第２の端部がフック穴２０２から引き出され、スライダ１５０が開放され、弾性ばね１９０の復元作用によって第１位置である原位置に戻る。したがって、ＳＤメモリカード２００は、ＳＤメモリカードソケット１００内より後退する。
【００２１】
ロックバーの端部がフック穴２０２に入るようにカード２００をソケット１００内に押し込む操作によってスライダ１５０を第２位置、すなわち、格納位置に維持することができ、カード２００を内方に再び押してロックバーの第２の端部をフック穴２０２から開放することによってスライダ１５０がその原位置に戻り、それにより、弾性ばね１９０の復元力によってスライダ１５０が押し出される。
【００２２】
コネクタハウジング１１０は、ＳＤメモリカードソケット１００の外側の輪郭を形成し、その前側にＳＤメモリカード２００を収容するカード収容部１１２と、その後側に平行に配列された接続端子１２０を収容する複数のピン収容穴１１４とを含む。接続端子については、後でさらに詳しく説明する。
【００２３】
ＳＤメモリカード２００をプリント回路基板（図示せず）に電気的に接続する接続端子１２０が設けられている。接続端子は、コネクタハウジング１１０の後側に平行に配列された各ピン収容穴１１４に挿入される。
【００２４】
各接続端子１２０は、接続端子を下のプリント回路基板上の対応する接点（図示せず）にはんだ付けする第１の端部１２２と、ＳＤカード２００の対応する接続端子２１０に電気接続する第２の端部１２４とを含む。
【００２５】
ＳＤメモリカード２００がカード収容部１１２から外れるのを防ぐために、コネクタハウジング１１０の上部にカバー１３０が設けられている。該カバー１３０は、カバー１３０の側面に沿って形成された複数のフック穴１３２を、コネクタハウジング１１０の側面に沿って形成された対応する複数のフック１１６と係合させることによって、コネクタハウジング１１０の上部に固定される。
【００２６】
図１を参照すると、ＳＤメモリカードソケット１００の振動又は移動による接続端子１２０の曲がりを最小にするか又は防ぐために、カバー１３０の両側に沿った適切な位置に取り付け爪１３４が形成される。使用する際、取り付け爪は、ＳＤメモリカードソケット１００をプリント回路基板に対して固定する。換言すると、取り付け爪１３４は、それぞれ、プリント回路基板上の対応する接点にはんだ付けされる。
【００２７】
スライダ１５０をその第１位置である原位置と第２位置である格納位置の間で前後に案内するガイド部１４０、１４０ａ、及び、１４０ｂが設けられている。ガイド部１４０、１４０ａ、１４０ｂは、コネクタハウジング１１０の上面に形成され、長手方向にガイドスロット１４２を形成する。ガイド部１４０ａと１４０ｂの間には隙（すき）間がある。
【００２８】
スライダ１５０は、ガイドスロット１４２に沿って前後に摺動することによってＳＤメモリカード２００をロックしたり開放したりするために提供される。スライダ１５０は、ガイドスロット１４２に沿って後方（原位置の方）と前方（格納位置の方）に移動するようにガイド部１４０、１４０ａ及び１４０ｂによって案内される。スライダ１５０の前側の下面には、固定穴１５２が形成されている。隠し穴１５４は、スライダの後側に形成され内方に開いている。
【００２９】
スライダ１５０には、スライド部１５６が形成されており、このスライド部１５６は、隠し穴１５４の後ろの第１の位置と固定穴１５２の前の第２の位置でスライダ１５０の下面から下方に突出している。スライド部１５６は、ガイドスロット１４２の支持面からスライダ１５０の下面を離す働きをする。スライダ１５０は、スライダ１５０の下面とガイドスロット１４２の支持面の間が所定の間隔になる状態でガイドスロット１４２に沿ってスライドする。
【００３０】
スライダ１５０の外面には、プッシュロックバー（図示せず）の第２の端部を位置決めし案内するガイドスロット（図示せず）が設けられている。プッシュロックバーは、水平部分から同じ向きに曲げられた第１と第２の端部を有する。ここで、プッシュロックバーの第１の端部は、所定の範囲内の回転を許容するようにコネクタハウジング１１０の一方の側に挿入されており、プッシュロックバーの第２の端部は、スライダ１５０の外側面に形成されたガイドスロット（図示せず）に位置決めされている。
【００３１】
ロックバー１６０は、ＳＤメモリカード２００をカード収容部１１２に対してロックしたり開放したりする。ＳＤメモリカード２００をカード収容部１１２に挿入する前は、ロックバー１６０の第２の端部が隠し穴１５４内に位置している。ＳＤメモリカード２００をカード収容部１１２に差し込んだ後、ロックバー１６０の第２の端部が固定穴１５２を中心として回転し、フック穴２０２に入る。
【００３２】
ロックバー１６０は、水平部分と、水平部分から上方に曲げられた第１と第２の端部とを有する。ロックバー１６０の第１の端部は、回転軸として働くようスライダ１５０の固定穴１５２に挿入され、ロックバー１６０の第２の端部は、スライダ１５０の隠し穴１５４とＳＤメモリカード２００のフック穴２０２の間で回転して、カード収容部１１２にカードを挿入する（又はカード収容部１１２からカードを取り出す）ときにＳＤメモリカード２００をロック（又は開放）する。
【００３３】
図１〜３を参照すると、ロックバー１６０の第２の端部をフック穴２０２の方に案内してカード２００を挿入位置にロックするロックガイド突起１７０が設けられている。ロックガイド突起１７０は、ガイド部１４０ａと１４０ｂの間に形成される。ＳＤメモリカード２００をカード収容部１１２に差し込んだとき、ロックガイド突起１７０は、ＳＤメモリカード２００をカード収容部１１２内にロックするために、ロックバー１６０の第２の端部を隠し穴１５４からフック穴２０２内に導く。ここで、ロックガイド突起１７０には、前端から後端まで延在しかつＳＤメモリカード２００のフック穴２０２と対向する傾斜側面が形成されている。
【００３４】
図１〜４を参照すると、ロックバーの第２の端部をＳＤメモリカード２００のフック穴２０２との係合から開放するのに必要な方向にロックバー１６０の第２の端部を案内するロック解除ガイド突起１８０が設けられている。該ロック解除ガイド突起１８０は、ガイド部１４０ａの内側に形成されてもよい。スライダ１５０がその定位置に戻るとき、ロック解除ガイド突起１８０は、ロックバー１６０の第２の端部を隠し穴１５４に押し込むようにロックバー１６０の水平部分を案内する働きをする。
【００３５】
弾性ばね１９０は、スライダ１５０を付勢しその原位置に戻す働きをする。弾性ばね１９０は、ガイドスロット１４２の後端とスライダ１５０の後端の間に位置決めされており、スライダをそのホームポジションに向けて付勢する力を加える。
【００３６】
図４〜７は、ＳＤメモリカード２００をＳＤメモリカードソケットに挿入する際のロックバー１６０の動作を示す。ＳＤメモリカード２００をＳＤメモリカードソケット１００に挿入する動作を以下に説明する。
【００３７】
ＳＤメモリカード２００をＳＤメモリカードソケット１００に挿入する前、スライダ１５０は、その原位置、すなわち、コネクタハウジング１１０の前端に位置決めされ、ばね１９０の弾性力によってこの位置に維持されている。更に、ロックバー１６０の第２の端部は、ロックバー１６０へのロック解除ガイド突起１８０の作用によってスライダ１５０の隠し穴１５４内に位置決めされている。換言すると、ロックバー１６０の第２の端部は、ロック解除ガイド突起１８０の規制作用の結果として、ＳＤメモリカード２００の方に突出しない。
【００３８】
図４〜５を参照して、ＳＤメモリカードソケット１００にＳＤメモリカード２００を挿入するとき、スライダ１５０は、ＳＤメモリカード２００がカード収容部１１２に挿入されたときにカード挿入方向に移動する。したがって、ロックバー１６０は、ロック解除ガイド突起１８０によって課される制限から開放され、ロックバー１６０の第２の端部が、固定穴１５２を中心として所定の範囲内で回転することができるようになる。
【００３９】
図６〜７を参照すると、ＳＤメモリカードがカード収容部１１２に完全に収容されたとき、ロックバー１６０の第２の端部は、ロックガイド突起１７０によってＳＤメモリカード２００のフック穴２０２に向けて案内され、ＳＤメモリカード２００のフック穴２０２内に入れられる。したがって、ＳＤメモリカードは、ロックバー１６０によってロックされ、ロックバー１６０を解除しないと取り出すことができない。
【００４０】
この状態で、スライダ１５０は、プッシュロックバー（図示せず）によって挿入位置に維持される。前に述べたように、プッシュロックバーは、水平部分と、水平部分から同じ方向に曲げられた第１と第２の端部とを有する。プッシュロックバーの第１の端部は、所定の範囲内で回転することができるようにコネクタハウジング１１０の側面に挿入され、プッシュロックバーの第２の端部は、スライダ１５０の外側に形成されたガイドスロット（図示せず）内に位置決めされている。
【００４１】
ＳＤメモリカード２００をＳＤメモリカードソケット１００から取り出すときは、ＳＤメモリカード２００にカード挿入方向に外力を加える。すると、スライダ１５０は、プッシュロックバーによるロック状態から開放され、弾性ばね１９０の復元力の作用によってその原位置に戻る。スライダ１５０がその原位置に戻ると、ＳＤメモリカード２００は、ＳＤメモリカードソケット１００から排出方向に出て、ロックバー１６０の水平部分が、ロックバー１６０に対するロック解除ガイド突起１８０の作用によってスライダ１５０の方に回転する。
【００４２】
したがって、ロックバー１６０の第２の端部は、ＳＤメモリカード２００のフック穴２０２から出てスライダ１５０の隠し穴１５４に入り、それにより、ＳＤメモリカード２００がロック状態から開放される。ロックバー１６０がＳＤメモリカード２００をそのロック状態から開放する結果、ＳＤメモリカード２００は、ＳＤメモリカードソケット１００から排出される。
【００４３】
本発明によれば、ＳＤメモリカードがＳＤメモリカードソケットに完全に挿入されたときにＳＤメモリカードの側面に形成されたフックスロットに挿入されるロックバーを備えたプッシュプッシュ機構が設けられているため、ＳＤメモリカードがＳＤメモリカードソケットから間違って取り出されることがない。
【００４４】
更に、本発明によるＳＤメモリカードソケットは、ＳＤメモリカードのカバーの両側に形成され、プリント回路基板上の対応する接点にはんだ付けされる取り付け爪を備えているので、ＳＤメモリカードソケットの振動と動きが防止され、接続端子が歪む危険性が最小になる。
【００４５】
最後に、製造プロセスの簡略化によって本発明のＳＤメモリカードソケットの製造効率が改善され製造コストが削減される。
【００４６】
本発明の好ましい実施形態を例示のために示したが、当業者であれば、添付の特許請求の範囲で開示されている本発明の範囲及び精神から逸脱することなく様々な変更、追加及び置換が可能であることが分るであろう。
【図面の簡単な説明】
【００４７】
【図１】本発明によるＳＤメモリカードソケットの分解斜視図である。
【図２】ＳＤメモリカードを挿入する前の図１のＳＤメモリカードソケットの平面図である。
【図３】図２に示した枠「Ａ」部の拡大図である。
【図４】ＳＤメモリカードをＳＤメモリカードソケットに挿入するプロセスにおけるロックバーの動作を示す平面図である。
【図５】図４に示した枠「Ｂ」部の拡大図である。
【図６】ＳＤメモリカードを差し込んだ後の図１のＳＤメモリカードソケットの平面図である。
【図７】図６に示した枠「Ｃ」部の拡大図である。
【図１】
2005514735.tif 000003
【図２】
2005514735.tif 000004
【図３】
2005514735.tif 000005
【図４】
2005514735.tif 000006
【図５】
2005514735.tif 000007
【図６】
2005514735.tif 000008
【図７】
2005514735.tif 000009
【手続補正書】
【提出日】平成15年5月27日(2003.5.27)
【手続補正１】
【補正対象書類名】特許請求の範囲
【補正対象項目名】全文
【補正方法】変更
【補正の内容】
【特許請求の範囲】
【請求項１】
側面にフック穴（２０２）が形成されたＳＤメモリカード（２００）を収容するＳＤメモリカードソケット（１００）であって、
コネクタハウジング（１１０）であって、
ＳＤメモリカードを収容するカード収容部（１１２）と、
複数のピン穴（１１４）とを有するコネクタハウジングと、
ＳＤメモリカードの複数の接続端子への電気接続のために、複数のピン穴に挿入された複数の接続端子（１２０）と、
コネクタハウジングの縁に形成されて、ハウジングの長手方向に、ガイドスロット（１４２）を間に形成するガイド部（１４０）と、
ガイドスロットに沿って第１と第２の位置の間で摺動可能であり、一方の端に固定穴（１５２）が形成されかつ他方の端に隠し穴（１５４）が形成されたスライダ（１５０）と、
第１と第２の端部を有するロックバー（１６０）であって、第１の端部は、ロックバーが固定穴を中心として回転することができるように固定穴に挿入され、ロックバーの第２の端部は隠し穴に挿入され、ロックバーが固定穴を中心として回転されたときに第２の端部が隠し穴から突出するロックバーと、
ハウジング上に形成され、ＳＤメモリカードをカードソケットに挿入する際にロックバーの第２の端部を隠し穴に沿ってＳＤメモリカードのフック穴に挿入する方向に案内するロックガイド突起（１７０）と、
ハウジング上に形成され、スライダがその第１の位置に移動したときにロックバーの第２の端部を隠し穴に強制的に移動するロック解除ガイド突起（１８０）とを有するＳＤメモリカードソケット。
【請求項２】
前記ロックガイド突起には、コネクタハウジングの前端から後端に向かって延在する傾斜側面が形成されている、請求項１に記載のＳＤメモリカードソケット。
【請求項３】
前記ロック解除ガイド突起には、ハウジングの後端からハウジングの前端に向かって延在する傾斜側面が形成されている、請求項２に記載のＳＤメモリカードソケット。
【請求項４】
前記ガイドスロットの支持面からスライダの下面を離すために、該スライダの下面から下方に突出するスライド部（１５６）を更に有する、請求項１に記載のＳＤメモリカードソケット。
【請求項５】
前記ロックガイド突起とロック解除ガイド突起の位置が、スライダの下面とガイドスロットの支持面の間隔を基準として決定される、請求項４に記載のＳＤメモリカードソケット。
【請求項６】
前記コネクタハウジングの上部を覆うカバー（１３０）と、該カバーの側部に形成され、プリント回路基板の対応する接点にはんだ付けする取り付け爪（１３４）とを更に有する、請求項５に記載のＳＤメモリカードソケット。
【請求項７】
前記ロックバーが、固定穴と隠し穴の間に延在する水平部分を備え、ロックバーの第１と第２の端部が水平部分から上方に曲げられている、請求項１に記載のＳＤメモリカードソケット。
【国際調査報告】
2005514735.tif 000010
2005514735.tif 000011